(57)【特許請求の範囲】
【請求項１】
モータ及び遊星歯車減速機構を内蔵する本体ハウジングの前方に、打撃機構を内蔵するハンマーケースを組み付けてなる打撃工具であって、
前記本体ハウジングに、前記遊星歯車減速機構のインターナルギヤを保持するインターナルギヤケースを固定すると共に、そのインターナルギヤケースの前端に、前記本体ハウジングから前方へ突出するリング部を突設し、そのリング部の前端外周に雄ネジ部を、前記ハンマーケースの後端内周に前記雄ネジ部と螺合可能な雌ネジ部を夫々設けて、前記ハンマーケースを前記インターナルギヤケースへねじ込み結合する一方、前記本体ハウジングに、前記雄ネジ部よりも前方へ突出し、ねじ込み結合された前記ハンマーケースの下方部分を覆う延設部を形成し、その延設部内に、前記ハンマーケースの外周面と係合してねじ込み結合後の前記ハンマーケースの回動を防止可能な回り止め機構を設けたことを特徴とする打撃工具。
【請求項２】
回り止め機構が、ハンマーケースの外面に周設された複数の凹部と、本体ハウジング内で左右へスライド可能に設けられ、前記凹部に噛合可能なラックと、前記本体ハウジングの側方から前記ラックに螺合し、締付操作によって前記ラックを前記ねじ込み方向側へネジ送り可能なネジ部材とからなる請求項１に記載の打撃工具。
【請求項３】
本体ハウジングにおける回り止め機構の前方位置に、ハンマーケースの前方を照射可能な照明体を装着した請求項１又は２に記載の打撃工具。
【発明の詳細な説明】
【０００１】
【発明の属する技術分野】
本発明は、モータを内蔵する本体ハウジングの前方に、打撃機構を内蔵するハンマーケースを組み付けてなるインパクトドライバ等の打撃工具に関する。
【０００２】
【従来の技術】
例えばインパクトドライバでは、モータを内蔵する本体ハウジングに、打撃機構を内蔵するハンマーケースが前方から組み付けられる。この組み付けは、例えば特開平７−１４８６６９号公報に開示の如く、本体ハウジングとハンマーケースとの側面に夫々ネジの取付部を数カ所突設し、この取付部同士をネジ止めする構造が一般的である。
【０００３】
【発明が解決しようとする課題】
上記インパクトドライバにおいては、取付部が本体ハウジング及びハンマーケースの外周から出っ張る格好となるため、作業の邪魔になったり、母材を傷つけたりするおそれがある。
【０００４】
そこで、請求項１に記載の発明は、本体ハウジングやハンマーケースの形状を単純化して作業性を向上させることができる打撃工具を提供することを目的としたものである。
【０００５】
【課題を解決するための手段】
上記目的を達成するために、請求項１に記載の発明は、本体ハウジングに、遊星歯車減速機構のインターナルギヤを保持するインターナルギヤケースを固定すると共に、そのインターナルギヤケースの前端に、本体ハウジングから前方へ突出するリング部を突設し、そのリング部の前端外周に雄ネジ部を、ハンマーケースの後端内周に雄ネジ部と螺合可能な雌ネジ部を夫々設けて、ハンマーケースをインターナルギヤケースへねじ込み結合する一方、本体ハウジングに、前記雄ネジよりも前方へ突出し、ねじ込み結合されたハンマーケースの下方部分を覆う延設部を形成し、その延設部内に、ハンマーケースの外周面と係合してねじ込み結合後のハンマーケースの回動を防止可能な回り止め機構を設けたことを特徴とするものである。
請求項２に記載の発明は、請求項１の目的に加えて、ハンマーケースの回り止めを簡単且つ確実に実現可能とするために、回り止め機構を、ハンマーケースの外面に周設された複数の凹部と、本体ハウジング内で左右へスライド可能に設けられ、凹部に噛合可能なラックと、本体ハウジングの側方からラックに螺合し、締付操作によってラックをねじ込み方向側へネジ送り可能なネジ部材とから形成したものである。
請求項３に記載の発明は、請求項１又は２の目的に加えて、形状の単純化を損なうことなく好適な位置で照明機能を付与するために、本体ハウジングにおける回り止め機構の前方位置に、ハンマーケースの前方を照射可能な照明体を装着したものである。
【０００６】
【発明の実施の形態】
以下、本発明の実施の形態を図面に基づいて説明する。
図１はインパクトドライバの一部縦断面図で、インパクトドライバ１は、左右の半割ハウジング３，４を組み付けて形成される本体ハウジング２に、モータ５を内蔵し、モータ５の前方（図１の右側）に、インターナルギヤケース８及びハンマーケース１３を組み付けてなる。インターナルギヤケース８は、図２にも示すように前方から４本のネジ９，９・・によって本体ハウジング２へ固定され、モータ５の出力軸６をボールベアリング７を介して軸支すると共に、前端に突設されたリング部１０でインターナルギヤ１１を保持する。このリング部１０の外周には左ネジの雄ネジ部１２が形成されている。
【０００７】
ハンマーケース１３は、後方を開口した断面釣鐘形状を呈し、後端内周に、インターナルギヤケース８側の雄ネジ部１２と螺合する雌ネジ部１４を形成しており、雌ネジ部１４と雄ネジ部１２との螺合により、ハンマーケース１３をインターナルギヤケース８へねじ込み結合可能となっている。また、ハンマーケース１３内には、インターナルギヤ１１内で噛合する２つの遊星歯車１６，１６を保持するスピンドル１５が設けられ、その後端部は、インターナルギヤケース８に支持されるボールベアリング１７によって、出力軸６と同軸で軸支されている。このスピンドル１５は、ハンマーケース１３に軸支されるアンビル１８に同軸で遊挿され、その前方部位には、コイルバネ１９によって前方に付勢され、アンビル１８の後面と係合可能なハンマー２０が、ボール２１，２１を介して連結されている。
【０００８】
一方、本体ハウジング２には、スイッチトリガー２２の上方でハンマーケース１３の下方部分を覆う延設部２３が、前方を開口して形成されている。延設部２３の内部には、図４に示すように、ラック２４が左右方向へ移動可能に収容されて、半割ハウジング４側から延設部２３に遊挿されるネジ２６に螺合されている。このラック２４は、上面に、ハンマーケース１３外面で周方向に等間隔で並設された複数の凹部としてのディンプル２７，２７・・に噛合可能な歯２５，２５を有するもので、これらのラック２４、ネジ２６、ディンプル２７によってハンマーケース１３の回り止め機構が構成される。
【０００９】
また、延設部２３の前方には、皿状のライトユニット２８が装着されている。ライトユニット２８は、後端が延設部２３の前端開口といんろう結合され、この結合状態で、後方へ延設した連結片２９を、図３に示すように、延設部２３内で半割ハウジング４へ形成されたボス３０にネジ３１によって固定することで、ハンマーケース１３の下面に張り付く格好で固定される。ライトユニット２８内では、図５にも示す如く、ＬＥＤ３２を備えた基板３３が、ＬＥＤ３２が前方斜め上へ向く姿勢で固定可能となっており、固定状態で、ライトユニット２８の先端に設けた透孔３４からＬＥＤ３２の光が照射される。３５はＬＥＤ３２のリード線で、ライトユニット２８及び延設部２３内を引き回されてモータ５の駆動回路と電気的接続されている。
【００１０】
以上の如く構成されたインパクトドライバ１においては、インターナルギヤケース８を本体ハウジング２にネジ固定し、スピンドル１５等をセットした状態で、アンビル１８を軸支したハンマーケース１３を、インターナルギヤケース８のリング部１０に所定のトルクでねじ込む。その後、延設部２３の前方からラック２４を、ディンプル２７，２７・・に噛合させた状態で差し込み、延設部２３の左側からネジ２６を螺合させて締め付けると、ラック２４は図４の右側にネジ送りされ、左ネジで螺合しているハンマーケース１３は、ラック２４との間に遊びのない状態で固定される。なお、ここではディンプル２７，２７・・間の山が延設部２３内に必ず３つは露出するように設定されているから、延設部２３内でラック２４が噛合できないことはなく、固定はスムーズに行える。
最後に、リード線３５と接続されている基板３３をライトユニット２８に組み付け、そのままライトユニット２８を前述のように延設部２３にネジ止めすれば、インパクトドライバ１の組付けは完了する。
【００１１】
そして、スイッチトリガー２２を操作してモータ５を駆動させると、出力軸６の回転が遊星歯車１６，１６・・を介してスピンドル１５に伝わり、スピンドル１５を回転させる。スピンドル１５は、ボール２１を介してハンマー２０を回転させ、ハンマー２０が係合するアンビル１８を回転させるため、アンビル１８の先端に装着したビット３６によってネジ締め等が可能となる。また、モータ５の駆動と共にＬＥＤ３２が点灯し、ビット３６の前方を照射する。
ネジ締めが進んでアンビル１８への負荷が高まると、ハンマー２０がコイルバネ１９の付勢に抗して後退してアンビル１８との係合を一旦解き、スピンドル１５と共に回転しつつ再びコイルバネ１９の付勢により前進してアンビル１８と係合する。この係脱の繰り返しによってアンビル１８に間欠的な打撃が加えられ、増し締めが可能となる。よって、インパクトドライバ１には打撃による振動が発生し、特に前方のハンマーケース１３に最も振動が伝わることになるが、ラック２４による回り止めがなされているため、ハンマーケース１３が振動で緩むことはない。
【００１２】
このように上記形態のインパクトドライバ１によれば、ハンマーケース１３はインターナルギヤケース８へねじ込み結合されるのと合わせて、回り止め機構が設けられているから、本体ハウジング２やハンマーケース１３の周囲に出っ張りが生じず、作業の邪魔になったり母材を傷つけたりするおそれはなくなる。また、結合の信頼性も確保される。さらに、本体ハウジング２やハンマーケース１３の形状が単純化することで、加工が容易となるのに加え、本体ハウジング２に対するハンマーケース１３の位相決めの必要がないから組み付けも簡単となる。
【００１３】
また、ハンマーケース１３の回り止め機構を、ハンマーケース１３のディンプル２７と、ディンプル２７に噛合するラック２４と、そのラック２４をねじ込み方向側へネジ送りするネジ２６とから形成しているから、ハンマーケース１３の回り止めが簡単且つ確実に実現可能となる。
そして、ここではライトユニット２８を取り付けているから、作業箇所を照明でき、暗い場所でも支障なく作業を行うことができる。特に、回り止め機構を内設する延設部２３を利用してその前方位置にライトユニット２８を取り付けたことで、インパクトドライバ１の形状の単純化を損なうことなく好適な位置で照明機能が付与可能となっている。
【００１４】
なお、回り止め機構は、ハンマーケースの外面と係合して回り止め可能であれば、ディンプル等の凹部の数や形状、ラックの歯の数や形状を適宜設計変更可能であるし、ライトユニットと延設部も、一方を正負の端子を突設したプラグ形状、他方をソケット形状として電気的接続と着脱とをより簡単にすることもできる。勿論照明が不要であればライトユニットは省略可能である。
その他、インパクトドライバに限らず、アングルインパクトドライバ等の他の打撃工具にも本発明は適用可能である。
【００１５】
【発明の効果】
請求項１に記載の発明によれば、ハンマーケースを本体ハウジングへねじ込み結合させるのと合わせて前記回り止め機構を設けたことで、本体ハウジングやハンマーケースの周囲に出っ張りが生じず、作業の邪魔になったり母材を傷つけたりするおそれはなくなる。また、結合の信頼性も確保される。さらに、本体ハウジングやハンマーケースの形状が単純化することで、加工が容易となるのに加え、本体ハウジングに対するハンマーケースの位相決めの必要がないから組み付けも簡単となる。
請求項２に記載の発明によれば、請求項１の効果に加えて、回り止め機構を、前記凹部とラックとネジ部材とから形成したことで、ハンマーケースの回り止めが簡単且つ確実に実現可能となる。
請求項３に記載の発明によれば、請求項１又は２の効果に加えて、回り止め機構の前方位置に照明体を装着したことで、打撃工具の形状の単純化を損なうことなく好適な位置で照明機能が付与可能となる。
【図面の簡単な説明】
【図１】インパクトドライバの一部縦断面図である。
【図２】Ａ−Ａ線断面図である。
【図３】Ｂ−Ｂ線断面図である。
【図４】Ｃ−Ｃ線断面図である。
【図５】Ｄ−Ｄ線断面図である。
【符号の説明】
１・・インパクトドライバ、２・・本体ハウジング、８・・インターナルギヤケース、１１・・インターナルギヤ、１２・・雄ネジ部、１３・・ハンマーケース、１４・・雌ネジ部、１５・・スピンドル、１８・・アンビル、２０・・ハンマー、２３・・延設部、２４・・ラック、２７・・ディンプル、２８・・ライトユニット、３２・・ＬＥＤ。
【図１】
0004169184.tif 000002
【図２】
0004169184.tif 000003
【図３】
0004169184.tif 000004
【図４】
0004169184.tif 000005
【図５】
0004169184.tif 000006